(57)【要約】  【課題】オーダ実施未完の防止支援を行なう看護支援システム及び端末装置を提供することを目的とする。  【解決手段】オーダが実施未完となった際に、看護師は看護支援端末５を用いてオーダの引継を依頼する引継情報を看護支援サーバ２に送信する（Ｓ９０１）。看護支援サーバ３は引継情報を受信し、さらに任意の看護師の看護支援端末５に引継情報を送信する（Ｓ９０２）。そして、引継がなされたか否かを示す応答情報を引継依頼元の看護師の看護支援端末５に送信する（Ｓ９０５、Ｓ９０６）。【選択図】図９
2006338485.tif 000002
【特許請求の範囲】
【請求項１】
患者に対して行なう看護行為の内容を示すオーダを医療スタッフ毎に管理するサーバ装置と、前記サーバ装置に通信回線を介して接続された少なくとも一つの端末装置と、を備えた看護支援システムであって、
前記端末装置は、
前記オーダが、そのオーダを行う予定の医療スタッフにより実施されない場合に、他の医療スタッフに対して前記オーダの引継を依頼するため依頼情報の入力を受付ける依頼情報入力手段と、
他の端末装置からの依頼情報に対して、前記依頼情報に含まれるオーダの引継の応答情報の入力を受付ける応答情報入力手段と、
前記依頼情報及び前記応答情報を前記サーバ装置との間で送受信するための端末側通信手段と、を備え、
前記サーバ装置は、
前記端末装置との間で前記依頼情報及び前記応答情報を送受信するためのサーバ側通信手段と、
を備えることを特徴とする看護支援システム。
【請求項２】
前記端末側通信手段は、他の端末装置との間で前記依頼情報と前記応答情報との少なくとも一方の情報を送受信する、
ことを特徴とする請求項１に記載の看護支援システム。
【請求項３】
前記端末装置又は前記サーバ装置の少なくとも一つは、前記依頼情報が入力、送信、又は受信されてからの経過時間を計測する計測手段と、
所定時間経過しても前記依頼情報に含まれるオーダの引継を受諾する旨の応答情報を受信しない場合に、前記依頼情報が前記他の医療スタッフに引き継がれなかったことを通知する通知手段と、を更に備える、
ことを特徴とする請求項１又は２に記載の看護支援システム。
【請求項４】
前記端末装置は、前記オーダの実施順序を示す実施フローを表示する表示手段を更に備え、
前記依頼情報入力手段は、前記実施フローに基づいて実施済みのオーダと未実施のオーダとを区別する情報の入力を受付ける、
ことを特徴とする請求項１乃至３のいずれか一つに記載の看護支援システム。
【請求項５】
前記端末装置又は前記サーバ装置は、同一の医療チームを構成する医療スタッフの識別情報を格納する格納手段を更に備え、
前記依頼情報の入力を行った医療スタッフと前記同一の医療チームに属する他の医療スタッフに対して前記依頼情報を送信する、
ことを特徴とする請求項１乃至４のいずれか一つに記載の看護支援システム。
【請求項６】
前記端末装置の位置を検出する位置検出手段を更に備え、
前記依頼情報を送信した端末装置に最も近い場所に位置する他の端末装置に対して前記依頼情報を送信する、
ことを特徴とする請求項１乃至５のいずれか一つに記載の看護支援システム。
【発明の詳細な説明】
【技術分野】
【０００１】
本発明は看護支援システムに係り、特にオーダ実施未完を防止する看護支援システムに関する。
【背景技術】
【０００２】
看護業務において、看護行為の内容を示すオーダの実施未完は医療事故を引き起こす要因のひとつであり、その防止策は重要である。また現場のチームナーシングにおいて、各看護師のオーダの実施状況を把握しオーダの実施未完を防止するシステムが望まれている。
【０００３】
特許文献１には、電子カルテシステムを導入している医療機関において、看護師はＰＤＡ等の携帯端末を使用して電子カルテシステム上の情報にアクセスし、看護師は情報の入出力を病院内の任意の場所で行う看護情報支援システムが開示されている。この看護情報支援システムにおいて、看護師はオーダの内容をいつでも任意の場所で確認することができる。
【特許文献１】特開平９−３４９０８号公報
【発明の開示】
【発明が解決しようとする課題】
【０００４】
しかしながら、上記の特許文献１に開示された看護情報支援システムには、何らかの理由（例えばナースコールなど）で中断した実施途中のオーダが実施未完となることを防ぐための工夫が施されていない。
【０００５】
本発明はこのような事情に鑑みてなされたもので、オーダの実施未完の防止支援を行なう看護支援システム及び端末装置を提供することを目的とする。
【課題を解決するための手段】
【０００６】
前記目的を達成するために、本発明は、患者に対して行なう看護行為の内容を示すオーダを医療スタッフ毎に管理するサーバ装置と、前記サーバ装置に通信回線を介して接続された少なくとも一つの端末装置と、を備えた看護支援システムであって、前記端末装置は、前記オーダが、そのオーダを行う予定の医療スタッフにより実施されない場合に、他の医療スタッフに対して前記オーダの引継を依頼するため依頼情報の入力を受付ける依頼情報入力手段と、他の端末装置からの依頼情報に対して、前記依頼情報に含まれるオーダの引継の応答情報の入力を受付ける応答情報入力手段と、前記依頼情報及び前記応答情報を前記サーバ装置との間で送受信するための端末側通信手段と、を備え、前記サーバ装置は、前記端末装置との間で前記依頼情報及び前記応答情報を送受信するためのサーバ側通信手段と、を備えることを特徴とする。
【０００７】
また、本発明は、前記端末側通信手段は、他の端末装置との間で前記依頼情報と前記応答情報との少なくとも一方の情報を送受信することを特徴とする。
【０００８】
また、本発明は、前記端末装置又は前記サーバ装置の少なくとも一つは、前記依頼情報が入力、送信、又は受信されてからの経過時間を計測する計測手段と、所定時間経過しても前記依頼情報に含まれるオーダの引継を受諾する旨の応答情報を受信しない場合に、前記依頼情報が前記他の医療スタッフに引き継がれなかったことを通知する通知手段とを更に備えることを特徴とする。
【０００９】
また、本発明は、前記端末装置は、前記オーダの実施順序を示す実施フローを表示する表示手段を更に備え、前記依頼情報入力手段は、前記実施フローに基づいて実施済みのオーダと未実施のオーダとを区別する情報の入力を受付けることを特徴とする。
【００１０】
また、本発明は、前記端末装置又は前記サーバ装置は、同一の医療チームを構成する医療スタッフの識別情報を格納する格納手段を更に備え、前記依頼情報の入力を行った医療スタッフと同一の医療チームに属する他の医療スタッフに対して前記依頼情報を送信することを特徴とする。
【００１１】
また、本発明は、前記端末装置の位置を検出する位置検出手段を更に備え、前記依頼情報を送信した端末装置に最も近い場所に位置する他の端末装置に対して前記依頼情報を送信することを特徴とする。
【発明の効果】
【００１２】
本発明によれば、オーダの実施が途中で中断された際に、直ちにそのオーダの引継を依頼する情報を送受信し、さらに引継結果を示す応答情報を送受信するので、オーダ実施未完の防止支援を行なうことができる。
【発明を実施するための最良の形態】
【００１３】
以下、添付図面に従って本発明の好ましい実施の形態について説明する。
【００１４】
[ハードウエアの概略構成]
図１は、看護支援システムのシステム構成の一例を示すシステム概念図である。看護支援システム１は、図１に示すように、看護支援サーバ２と、ローカルエリアネットワーク(ＬＡＮ)３と、アクセスポイント４と、クライアントである看護支援端末（ＰＤＡ、固定設置型コンピュータ等）５とを備える。ローカルエリアネットワーク(ＬＡＮ)３は、サーバ２及びアクセスポイント４を互いに接続する。アクセスポイント４は、無線ＬＡＮにおいて電波により携帯端末や固定設置型コンピュータなどを接続する中継機である。看護行為の内容を示すオーダ情報は、アクセスポイント４およびＬＡＮ３を介して他の看護支援端末５や看護支援サーバ２に送受信される。
【００１５】
[システム構成]
次に図２乃至７に基づいて看護支援システム１のシステム構成について説明する。
【００１６】
図２は看護支援サーバ２のシステムブロック図を示す。看護支援サーバ２は、看護支援システム１を構成するサーバであって、看護業務の管理処理を行なう。看護支援サーバ２は、オーダ情報を読み込むオーダ情報入力部２ａ、オーダ情報を送受信する通信手段２ｂ、オーダ情報を格納するデータ格納手段２ｃ、制御手段２ｄを備える。
【００１７】
図３は看護支援サーバ２に格納されているオーダテーブルを示す。オーダテーブルには、オーダを実施する予定日時、オーダを実施する実施予定者名、オーダの種類（例えば検査オーダ、注射オーダ、処方オーダ、処置オーダ、リハビリオーダなど）、オーダを実施する際に使用する薬品名等（オーダ詳細１）、薬品の処方量（オーダ詳細２）、オーダの実施対象である患者の患者ＩＤ，患者名、患者の年齢、患者の病室、オーダを指示した指示医名、オーダを実施した実施者名などの情報が格納される。
【００１８】
図４は看護支援サーバ２に格納されている人事テーブルを示す。人事テーブルは、人事情報として医療チームに関する情報を示す。具体的には、医療チームの名称、その医療チームに所属する構成員名、その構成員が携帯する看護支援端末のＭａｃアドレス（Media Control アドレス）、ＩＰアドレスなどの情報である。
【００１９】
図５は看護支援端末５のシステムブロック図を示す。看護支援端末５は看護支援サーバ２に通信回線を介して接続された端末装置であり、ＰＤＡ等の携帯端末や固定設置型コンピュータである。なお以下の説明では看護支援端末としてＰＤＡを例に説明する。各看護師は看護業務を行なう際に看護支援端末５を携帯する。看護支援端末５は、オーダ情報を表示するモニタ５ａ、制御手段５ｂ、看護支援端末５を使用するユーザが情報を入力するための操作部５ｃ、オーダ情報を格納するデータ格納手段５ｄ、オーダ情報を送受信するための通信手段５ｅ、オーダ情報を受信したことをユーザに通知する通知手段５ｆを備える。操作部５ｃの構成要素は、図示されていないがユーザ操作入力部５ｃ１、画像入力部５ｃ２、音声入力部５ｃ３である。なお、看護支援端末５同士は、無線ＬＡＮカードを用いて無線により互いに通信可能である。
【００２０】
図６は看護支援端末５の制御部５ｂが実行するプログラムを示すプログラムブロック図である。制御部５ｂは、プログラムであるデータ格納制御部５ｂ１、表示制御部５ｂ２、オーダ情報制御部５ｂ３、通信制御部５ｂ５をデータ格納手段５ｄから適宜読み出して実行する。データ格納制御部５ｂ１は、オーダ情報をデータ格納手段５ｄに格納したり、読み出したりする制御を行なう。表示制御部５ｂ２はモニタ５ａの表示制御を行なう。オーダ情報制御部５ｂ３は、操作部５ｃからの入力を受付けてオーダ情報を生成する。また、オーダ情報制御部５ｂ３は時間情報付加部５ｂ４を含む。時間情報付加部５ｂ４はオーダ情報に情報が生成された時刻を示す時間情報を付加する。通信制御部５ｂ５は通信手段５ｅによりオーダ情報を送受信する制御と、通知手段５ｆによりオーダ情報の着信をユーザに通知する制御とを行なう。
【００２１】
看護支援端末５の例を図７に基づいて説明する。図７は看護支援端末５の模式図である。看護支援端末５はタッチペン５０８の入力を受け付けるＰＤＡである。看護支援端末５はモニタ５ａ、ユーザ操作入力部５ｃ１として電源ボタン５０１、オーダ情報をサーバに送信するための送信ボタン５０２、画像入力部としてのカメラ５ｃ２、音声入力部としてのマイク５ｃ３を備える。通信手段５ｅとしてアンテナ５０３、無線ＬＡＮカード挿入口５０４を備える。通知手段５ｆとして、ＬＥＤランプ５０５、スピーカ５０６、着信ボタン５０７を備える。看護支援端末５は更に、ユーザ操作入力部５ｃ１としてタッチペン５０８を備える。
【００２２】
[第一実施形態]
本実施形態では、看護師が何らかの理由（例えばナースコールなど）でオーダの実施を中断した場合、その看護師は実施未完となったオーダの引継を依頼する依頼情報を看護支援端末５で生成する。そして、その看護師はその場で直ちに依頼情報を看護支援端末５から看護支援サーバ２へ送信する。看護支援サーバ２は依頼情報を他の看護師の携帯する看護支援端末５へ送信する。他の看護師は受信した依頼情報に対し、オーダ引継を受諾するまたは受諾しない旨を示す応答情報を入力し、看護支援サーバ２に送信する。看護支援サーバ２は、引継の依頼結果を依頼元の看護師の看護支援端末５に送信する。
【００２３】
以下図８に基づいて第一実施形態について説明する。図８は、第一実施形態に係わる処理の流れを示すフローチャートである。
【００２４】
（ステップＳ８０１）
看護師は看護支援端末５から看護支援システム１にログインする（Ｓ８０１）。
【００２５】
（ステップＳ８０２）
看護支援端末５は、看護支援サーバ２からオーダ情報を読み込む(Ｓ８０２)。オーダ情報は看護支援端末５のデータ格納手段５ｄに格納される。看護師はオーダ情報を看護支援端末５から適宜読み出すことが可能である。
【００２６】
（ステップＳ８０３）
看護師は看護業務を行い、オーダを実施する（Ｓ８０３）。
【００２７】
（ステップＳ８０４）
看護師はオーダが実施未完であるか否かを判定する(Ｓ８０４)。オーダが実施未完の場合には、Ｓ８０５に進む。オーダが完全に実施されていれば、Ｓ８０６に進む。
【００２８】
（ステップＳ８０５）
オーダの依頼情報を処理する（Ｓ８０５）。なおＳ８０５の詳細は後述する。
【００２９】
（ステップＳ８０６）
看護師は看護支援システム１からログオフし（Ｓ８０６）終了する。
【００３０】
以下図９に基づいてＳ８０５の処理を説明する。
【００３１】
（ステップＳ９０１）
看護師は、看護支援端末５のモニタ５ａに図１０（ａ）に示すオーダ画面を表示させる。
【００３２】
オーダ画面には、看護支援サーバ２に格納されたオーダ情報（図３参照）と対応するオーダ情報が表示される。具体的には、オーダの種類を示すオーダ名、看護支援端末のユーザ名（オーダの実施予定者名）、患者ＩＤ、患者名、患者の性別、患者の年齢、オーダの指示医、オーダの詳細情報などがオーダ画面に表示される。さらに、２つのソフトボタンが表示される。ひとつは、オーダが実施済みであることを示す登録情報の送信を指示するための実施登録ボタン１０１である。もうひとつは、オーダの引継を依頼する依頼情報の送信を指示するための引継依頼ボタン１０２である。
【００３３】
看護師は引継依頼ボタン１０２をタッチペン５０８で押し、依頼情報の送信を指示する。看護支援端末５は看護支援サーバ２に依頼情報を送信する。その際、時間情報付加部５ｂ４は依頼情報に時間情報を付加する（Ｓ９０１）。
【００３４】
（ステップＳ９０２）
看護支援サーバ２は、依頼情報を受信する。そして、看護支援サーバ２は、依頼情報の送信元以外の他の看護支援端末５に依頼情報を送信する。
【００３５】
依頼情報を受信した看護支援端末５は、データ格納手段５ｄに格納する。看護支援端末５の通知手段５ｆは、依頼情報を受信したことを看護師に知らせる動作をする。例えば、ＬＥＤランプ５０５が点灯あるいは点滅する、スピーカ５０６からアラーム音が発生する、看護支援端末５が振動する、などである。また、看護師が着信ボタン５０７を押すと、看護支援端末５は新着情報をポップアップウインドウに表示してもよい。
【００３６】
図１０（ｂ）は、Ｓ８０３において看護師が看護業務を実施する際に、看護支援端末５に表示される作業画面の例である。例として患者の体温の時系列データを示す温度板を示す。この作業画面を表示中に依頼情報を受信すると画面が図１０（ｃ）に遷移する。
【００３７】
依頼情報を受信した看護支援端末５は、図１０（ｃ）に示す引継画面を表示する。引継画面はオーダ引継依頼メッセージ、依頼情報（例えば、依頼者名、依頼内容、患者ＩＤ、患者名）、２つのソフトボタン１０３、１０４を表示する。ソフトボタン１０３と１０４とは、引継依頼に対する看護師の応答結果の送信を指示するためのボタンである。例えば、ソフトボタン１０３が押された場合、看護支援端末５は看護師が引継を受諾する意思があることを示す受諾情報（応答情報）を看護支援サーバ２に送信する。
【００３８】
看護支援サーバ２は、看護師の応答情報を受信する（Ｓ９０２）。
【００３９】
（ステップＳ９０３）
看護支援サーバ２は、引継が他の看護師に受諾されたかどうかを、受諾情報の受信の有無で判定する(Ｓ９０３)。看護支援サーバ２が受諾情報を受信した場合には、Ｓ９０５に進む。看護支援サーバ２が受諾情報を受信していない場合には、Ｓ９０４に進む。
【００４０】
（ステップＳ９０４）
看護支援サーバ２は、依頼情報が生成された時刻からの経過時間を計測する。予めオーダごとに定められた規定時間が経過したかどうかを判定する（Ｓ９０４）。規定時間を経過した場合には、Ｓ９０６に進む。規定時間を経過してない場合には、Ｓ９０３に戻る。なお、計測の始点は看護支援端末５で依頼情報が入力、生成、送信された時刻又は看護支援サーバ２が依頼情報を受信した時刻とする。
【００４１】
（ステップＳ９０５）
看護支援サーバ２は、引継が受諾済みであることを示す受諾済情報を全看護支援端末５に送信する。図１１（ａ）は、Ｓ８０３において看護師が看護業務を行う際に、看護支援端末５に表示される作業画面の例である。この作業画面を表示中に受諾済情報を受信すると画面が図１１（ｂ）に遷移し、引継が受諾されなかったことを示す未受諾情報を受信すると画面が図（ｄ）に遷移する。
【００４２】
受諾済情報を受信した看護支援端末５は、図１１（ｂ）に示す受諾済画面を表示する。受諾済画面は、オーダ引継受諾メッセージ、依頼情報（依頼内容、患者ＩＤ，患者名、引継者名など）を表示する（Ｓ９０５）。
【００４３】
（ステップＳ９０６）
看護支援サーバ２は、引継が受諾されなかったことを示す未受諾情報を依頼元の看護支援端末５に送信する（Ｓ９０６）。未受諾情報を受信した引継依頼元の看護支援端末５は、例えば図１１（ｄ）に示す未受諾画面を表示する。未受諾画面は、オーダ引継未受諾メッセージ、依頼情報（依頼内容、患者ＩＤ，患者名、引継者名など）を表示する。
【００４４】
看護支援サーバ２は、引継処理の結果を登録し終了する。
【００４５】
なお、引き継いだ看護師は、引継オーダを実施したら看護支援端末５の実施登録ボタン１０１（図１０参照）を押し、オーダを実施したことを示す実施済情報の送信を指示する。看護支援端末５は実施済情報を看護支援サーバ２へ送信する。看護支援サーバ２は実施済情報を受信し、さらに実施済情報を引継依頼元の看護支援端末５に送信する。実施済情報を受信した引継依頼元の看護支援端末５は、例えば図１１（ｃ）に示す実施済画面を表示する。実施済画面は引継オーダ実施メッセージ、依頼情報（依頼内容、患者ＩＤ，患者名、引継者名など）を表示する。
【００４６】
なお、上記では引継処理は看護支援サーバ２で行なわれたが、看護支援端末５間で行われてもよい。以下、図１２に基づいて看護支援端末５が引継処理を行なう場合の処理の流れを説明する。
【００４７】
（ステップＳ１２１）
Ｓ９０１と同様に、看護師は看護支援端末５に、図１０（ａ）に示すオーダ画面を表示させる。看護師は引継依頼ボタン１０２をタッチペン５０８で押し、依頼情報の送信を指示する。
【００４８】
引継依頼元の看護支援端末５は、看護支援サーバ２に他の看護支援端末５のＩＰアドレスを問い合わせ、ＩＰアドレスに基づき他の看護支援端末５に依頼情報を送信する。その際、時間情報付加部５ｂ４は依頼情報に時刻情報を付加する。
【００４９】
送信先の看護支援端末５は、依頼情報を受信する。Ｓ９０２と同様に、看護支援端末５は依頼情報を受信すると図１０（ｃ）に示す引継画面を表示する。看護師は引継の意思決定を行い、決定結果を示す応答情報を引継依頼元に送信する（Ｓ１２１）。
【００５０】
（ステップＳ１２２）
引継依頼元の看護支援端末５は、引継が受諾されたかどうかを、受諾情報の受信の有無で判定する（Ｓ１２２）。受諾情報を受信した場合には、Ｓ１２４に進む。受諾情報を受信していない場合には、Ｓ１２３に進む（ステップＳ１２２）。
【００５１】
（ステップＳ１２３）
引継依頼元の看護支援端末５は、依頼情報の生成時刻からの経過時間を計測する。Ｓ９０４と同様に、オーダ毎に設定された規定時間が経過したかどうかを判定する（Ｓ１２３）。規定時間が経過した場合には、Ｓ１２５に進む。規定時間が経過していない場合には、Ｓ１２２に戻る。
【００５２】
（ステップＳ１２４）
引継依頼元の看護支援端末５は、Ｓ１２１で依頼情報を送信した全看護支援端末５に対し、受諾済情報を送信する（Ｓ１２４）。Ｓ９０５と同様に、引継を受諾した看護師は引継を実施したら看護支援サーバ２に実施済情報を送信する。看護支援サーバ２は実施済情報を受信し、引継依頼元の看護支援端末５に実施済情報を送信する。引継依頼元の看護支援端末５は実施済情報を受信し、図１１（ｃ）に示す実施済画面を表示する。
【００５３】
（ステップＳ１２５）
引継依頼元の看護支援端末５は、未受諾情報を受信し、図１１（ｄ）に示す未受諾画面を表示する。
【００５４】
（ステップＳ１２６）
看護支援端末５は、引継処理の結果を看護支援サーバ２に送信する（Ｓ１２６）。看護支援サーバ２は、引継処理の結果を登録し終了する。
【００５５】
本実施の形態により、オーダの実施が途中で中断された際に、直ちにそのオーダの引継を依頼する依頼情報を送受信できる。すなわち看護師は、看護支援端末５を通じて他の看護師へ引継を依頼できる。さらに引継結果を示す情報が送受信されるので、看護師はオーダの引継依頼の処理結果を把握できる。
【００５６】
[第二実施形態]
本実施形態では、オーダの実施順を示す実施フローにおいてどの箇所で中断となったかを示す中断箇所の情報を入力可能とする。具体的には、第一実施形態のステップＳ９０１において、図１３（ａ）に示すオーダ画面で、引継依頼ボタン１０２を押すと、看護支援端末５は実施フローを表示する。図１３（ｂ）は実施フローの表示画面例を示す。実施フローの表示画面には、オーダ情報、実施フロー、チェック欄１３１が表示される。看護師が実施したオーダのチェック欄１３１にチェックを入れることにより、オーダの中断箇所が判るようにする。なおチェック欄１３１でなくとも、実施済のオーダと未実施のオーダとを色分け表示させてもよい。また、オーダの引継を依頼するための依頼送信ボタン（ソフトボタン）１３２とオーダの引継を取り消すためのオーダ引継依頼キャンセルボタン（ソフトボタン）１３３とが表示される。依頼送信ボタン１３２がタッチペン５０８で押されると、オーダの中断箇所の情報を含めた依頼情報が看護支援サーバ２や各看護支援端末５に送信される。
【００５７】
また、看護支援端末５に搭載されたカメラ５ｃ２とマイク５ｃ３とを用いて、オーダの中断に至るまでの過程、例えば患者のリハビリ実施状況などを動画で記録し、動画情報を依頼情報に含めて看護支援サーバ２や各看護支援端末５に送信してもよい。
【００５８】
第二実施形態により、オーダの中断箇所という具体的な情報を送信するので、看護業務の効率が向上する。
【００５９】
[第三実施形態]
本実施形態では、第一実施形態のＳ９０２とＳ１２１とにおいて依頼情報の送信先の範囲を限定する。例えば、依頼情報の発生時にスケジュールに余裕のある看護師や依頼情報を送信した看護師と同じチームの看護師などの、ある特定の条件を持つ看護師の看護支援端末５を選択し、これらの看護支援端末５に範囲を限定して依頼情報を送信する。
【００６０】
以下、例としてサーバ上で送信先の範囲限定を行なう方法について説明する。ここでは、引継依頼元の看護師と同じ医療チームに所属し、且つ依頼情報が生成された時刻にスケジュールに余裕のある看護師を送信先に範囲限定する場合を例とする。
【００６１】
看護師は看護業務を実施し、Ｓ９０２において中断したオーダの依頼情報を看護支援サーバ２に送信する。
【００６２】
看護支援サーバ２は情報を受信する。そして、看護支援サーバ２は引継依頼元の看護師のＩＤを基に、データ格納手段２ｃに格納されている人事テーブル（図4参照）から依頼元の看護師と同じ医療チームに所属する看護師名を検索する。看護支援サーバ２は、データ格納手段２ｃに格納されているオーダテーブル（図4参照）に記録されたオーダを実施する予定日時に基づいて、スケジュールに余裕のある看護師を検索する。
【００６３】
これにより、引継依頼先を限定して依頼情報を送信することが可能であり、ネットワーク負荷を低減できる。
【００６４】
[第四実施形態]
本実施の形態では、看護支援サーバ２又は引継依頼元の看護支援端末５は、引継を依頼するオーダを実施している場所に最も近傍の看護支援端末５に限定して、依頼情報を送信する。
【００６５】
各看護支援端末５の位置情報は以下のようにして求めることができる。ただし３つ以上のアクセスポイント４が配置されており、各アクセスポイント４の位置情報がわかっていることが前提となる。
【００６６】
３つ以上のアクセスポイント４から発せられた各電波強度を看護支援端末５で測定する。なお、各アクセスポイント４から発せられる電波には各アクセスポイント４のＭacアドレスが付加されるので、どのアクセスポイント４からの電波であるか識別可能である。電波強度は、看護支援端末５と各アクセスポイント４との距離の２乗に反比例するため、測定した電波強度から看護支援端末５と各アクセスポイント４との距離を算出する。算出した看護支援端末５と各アクセスポイント４との距離と、各アクセスポイント４の位置情報とを基に、三辺測量により看護支援端末５の位置を算出する。算出した看護支援端末５の位置情報は、定期的に看護支援サーバ２に送信され、各看護支援端末５と関連付けられて、看護支援サーバ２上に保管される。
【００６７】
看護支援サーバ２上で引継処理を行なう場合、看護支援サーバ２は看護支援端末５の発信信号を、アクセスポイント４を介して受信する。看護支援サーバ２は、第一実施形態におけるＳ９０２において、保管している各看護支援端末５の位置情報を用いて引継依頼元の看護支援端末５の位置を判定する。さらに引継依頼元の看護支援端末５の最も近傍にある看護支援端末５を特定し、特定した看護支援端末５に限定して、依頼情報を送信する。
【００６８】
看護支援端末５が引継処理を行なう場合、引継依頼元の看護支援端末５は、看護支援サーバ２から最も近傍にある看護支援端末５のＩＰアドレスを問合わせ、看護支援サーバ２から受信したＩＰアドレスに対し、依頼情報を送信する。
【００６９】
これにより、引継依頼元の近くに位置する看護支援端末５に限定して依頼情報を送信することができので、ネットワーク負荷を低減できる。
【図面の簡単な説明】
【００７０】
【図１】看護支援システム１の概念図
【図２】看護支援サーバ２のシステムブロック図
【図３】看護支援サーバ２に格納されたオーダテーブル
【図４】看護支援サーバ２に格納された人事テーブル
【図５】看護支援端末５のシステムブロック図
【図６】看護支援端末５のプログラムブロック図
【図７】看護支援端末５の外観例を示す模式図
【図８】第一実施形態に係わる処理の流れを示すフローチャート
【図９】中断したオーダの引継依頼の処理の流れを示すフローチャート
【図１０】看護支援端末５の引継依頼に係わる画面遷移図
【図１１】看護支援端末５の引継依頼の処理結果に係わる画面遷移図
【図１２】看護支援端末５が引継処理を行なう場合の処理の流れを示すフローチャート
【図１３】第２実施形態に係わる看護支援端末５の画面遷移図
【符号の説明】
【００７１】
１…看護支援システム、２…看護支援サーバ、３…ローカルエリアネットワーク(ＬＡＮ)、４…アクセスポイント、５…看護支援端末
【図１】
2006338485.tif 000003
【図２】
2006338485.tif 000004
【図３】
2006338485.tif 000005
【図４】
2006338485.tif 000006
【図５】
2006338485.tif 000007
【図６】
2006338485.tif 000008
【図７】
2006338485.tif 000009
【図８】
2006338485.tif 000010
【図９】
2006338485.tif 000011
【図１０】
2006338485.tif 000012
【図１１】
2006338485.tif 000013
【図１２】
2006338485.tif 000014
【図１３】
2006338485.tif 000015